(57)【要約】【課題】ラックに搭載されたデバイスの監視を行え、かつ管理者による内容の把握を容易にするために用い得るようにするソフトウェア、装置を提案する。【解決手段】ラック２０に収納、搭載されている複数のデバイス４１〜４６を監視する。一台のカメラ（あるいはカメラボックス）５０と数本分（監視対象とするデバイスの個数に対応する）の光ファイバースコープ５１によってデバイス４１〜４６に設けたＬＥＤ５２の画像を撮影し、ノートＰＣ等に画像を表示しながら、ノートＰＣ画面上のＬＥＤ表示により、画像の色による管理情報を入力したり、点滅による管理情報を入力したりする。光ファイバースコープに代えて光ケーブルやカメラを用いることができる。【選択図】図６
2012238116.tif 000002
【特許請求の範囲】
【請求項１】
グラフィック画面でラックを収納しているエリアを表示するとともに、表示されている複数のラックをポインタやキーボードなどの指示手段により選択可能とするエリア表示部位と、
該エリア表示部位で選択されたラック全体のイメージを該ラックに収納、搭載されている一以上のデバイスとともに表示するラックイメージ表示部位と、
前記エリア表示部位で選択されたラックに収納、搭載されている前記デバイスに関する情報を表示するデバイス情報表示部位とを表示し、
前記デバイスが備える発光手段からの発光を受光し、該受光した内容により前記デバイスの動作状態を監視する
ことを特徴とするラック内デバイス管理ソフトウェア。
【請求項２】
請求項１に記載のラック内デバイス管理ソフトウェアにおいて、
前記デバイスが備える発光手段からの発光の色及び／又は点滅によって前記デバイスの動作状態の監視を行うことを特徴とするラック内デバイス管理ソフトウェア。
【請求項３】
請求項１又は２に記載のラック内デバイス管理ソフトウェアを格納したことを特徴とする記録媒体。
【請求項４】
監視対象とするデバイスを一以上、収納、搭載するラックと、
請求項１又は２に記載のラック内デバイス管理ソフトウェアを格納した制御・監視機器と、
前記ラック又はデバイスに設けられ、前記デバイスが備える発光手段からの発光を受光する受光手段とからなり、
前記制御・監視機器が、前記受光手段で受光した内容により前記デバイスの動作状態を監視する
ことを特徴とするラック内デバイス管理装置。
【請求項５】
請求項４に記載のラック内デバイス管理装置において、
前記制御・監視機器が、前記デバイスが備える発光手段からの発光の色及び／又は点滅によって前記デバイスの動作状態の監視を行うことを特徴とするラック内デバイス管理装置。
【請求項６】
請求項４又は５に記載のラック内デバイス管理装置において、
前記発光手段と前記受光手段との間に光ファイバースコープを配したことを特徴とするラック内デバイス管理装置。
【請求項７】
請求項４又は５に記載のラック内デバイス管理装置において、
前記発光手段と前記受光手段との間に光ケーブルを配したことを特徴とするラック内デバイス管理装置。
【請求項８】
請求項４又は５に記載のラック内デバイス管理装置において、
前記受光手段が結像光学系を持つ撮像機器であることを特徴とするラック内デバイス管理装置。
【請求項９】
請求項４から８のいずれかに記載のラック内デバイス管理装置において、
前記デバイスが備える発光手段がＬＥＤであることを特徴とするラック内デバイス管理装置。
【発明の詳細な説明】
【技術分野】
【０００１】
本発明は、ラックに搭載されたデバイスを管理するために用いるソフトウェアと、これを記録した記録媒体、及び前記ソフトウェアを利用したラック内デバイス管理装置に関する。
【背景技術】
【０００２】
インターネットデータセンター等に設置されている電子機器収納専用ラックに設置するのに適した形状のデバイスであるラックマウント型サーバーなどのデバイスを搭載するために、サーバーラックと称される構造体が用いられている。このサーバーラックなどと称される構造体は、顧客に対してラックごと貸与され、データセンター側ではラックを勝手に開放することができず、内部にどのようなデバイスが、どのような配置の態様（例えば位置）で存在しているかですら把握することができず、したがって管理することなどもできず、デバイスの入れ替えなどについてのトレーサビリティは低く、改善が望まれていた。すなわち、ラック内の例えば電流、電圧、温度、圧力といった物理的状態量（デバイスに関連するかどうかを問わない）の管理や、デバイスそのものに係る資産的な管理を可能とする手段が求められていた。
【０００３】
上述のような管理を行うためには、例えばマイクロソフト社のマイクロソフトエクセル（商標）のような表計算ソフトを用いるなど、どちらかといえば、文字による記載データに頼った管理を行っており、視覚的に内容を認識しにくく、分かりにくいものとなっていたので本願出願人は、ラックに搭載されたデバイスの管理をグラフィカルに行え、かつ管理者による内容の把握を容易にするために用い得るソフトウェアを提案している。
【発明の概要】
【発明が解決しようとする課題】
【０００４】
しかしながら、インターネットデータセンター等に設置されている電子機器収納専用ラック等では、収納、搭載されているサーバー等のデバイスの動作状態を監視することも求められるようになってきている。
【０００５】
そこで本発明は、ラックに搭載されたデバイスの監視を行え、かつ管理者による内容の把握を容易にするために用い得るようにすることを目的とする。
【課題を解決するための手段】
【０００６】
本発明の請求項１に係るラック内デバイス管理ソフトウェアは、グラフィック画面でラックを収納しているエリアを表示するとともに、表示されている複数のラックをポインタやキーボードなどの指示手段により選択可能とするエリア表示部位と、該エリア表示部位で選択されたラック全体のイメージを該ラックに収納、搭載されている一以上のデバイスとともに表示するラックイメージ表示部位と、前記エリア表示部位で選択されたラックに収納、搭載されている前記デバイスに関する情報を表示するデバイス情報表示部位とを表示し、前記デバイスが備える発光手段からの発光を受光し、該受光した内容により前記デバイスの動作状態を監視することを特徴とする。
【０００７】
請求項２に係るものは、請求項１に記載のラック内デバイス管理ソフトウェアにおいて、前記デバイスが備える発光手段からの発光の色及び／又は点滅によって前記デバイスの動作状態の監視を行うことを特徴とする
【０００８】
請求項３に係る記録媒体は、請求項１又は２に記載のラック内デバイス管理ソフトウェアを格納したことを特徴とする。
【０００９】
請求項４に係るラック内デバイス管理装置は、監視対象とするデバイスを一以上、収納、搭載するラックと、請求項１又は２に記載のラック内デバイス管理ソフトウェアを格納した制御・監視機器と、前記ラック又はデバイスに設けられ、前記デバイスが備える発光手段からの発光を受光する受光手段とからなり、前記制御・監視機器が、前記受光手段で受光した内容により前記デバイスの動作状態を監視することを特徴とする。
【００１０】
請求項５に係るものは、請求項４に記載のラック内デバイス管理装置において、前記制御・監視機器が、前記デバイスが備える発光手段からの発光の色及び／又は点滅によって前記デバイスの動作状態の監視を行うことを特徴とする。
【００１１】
請求項６に係るものは、請求項４又は５に記載のラック内デバイス管理装置において、前記発光手段と前記受光手段との間に光ファイバースコープを配したことを特徴とする。
【００１２】
請求項７に係るものは、請求項４又は５に記載のラック内デバイス管理装置において、前記発光手段と前記受光手段との間に光ケーブルを配したことを特徴とする。
【００１３】
請求項８に係るものは、請求項４又は５に記載のラック内デバイス管理装置において、前記受光手段が結像光学系を持つ撮像機器であることを特徴とする。
【００１４】
請求項９に係るものは、請求項４から８のいずれかに記載のラック内デバイス管理装置において、前記デバイスが備える発光手段がＬＥＤであることを特徴とする。
【発明の効果】
【００１５】
本発明によれば、ラックに搭載されたデバイスの動作状態監視をグラフィカルに行え、しかも管理者等がラックに搭載されたデバイスの動作の状態把握を容易に行えるという効果がある。
【図面の簡単な説明】
【００１６】
【図１】本発明に係るラック内デバイス管理ソフトウェアによる表示画面を示す図
【図２】本発明に係るラック内デバイス管理ソフトウェアを他のソフトウェアと連携させて用いる例の概念図
【図３】本発明に係るラック内デバイス管理ソフトウェアをオンラインで用いる例の概念図
【図４】本発明に係るラック内デバイス管理ソフトウェアをオフラインで用いる例の概念図
【図５】本発明に係るラック内デバイス管理ソフトウェアの用途の一例を示す概念図
【図６】本発明に係るラック内デバイス管理装置の光ファイバースコープ方式を示す概念図
【図７】同じく光ケーブル方式を示す概念図
【図８】図７に示した光ケーブル方式を実施するのに適するＬＥＤの受光部の構成を示す概念図
【図９】本発明に係るラック内デバイス管理装置のカメラ切替方式を示す概念図
【図１０】光ファイバースコープ方式、光ケーブル方式、そしてカメラ切替方式のそれぞれの特徴を示す図
【図１１】本発明に係るソフトウェアを単体であるいは、その他のソフトウェアや装置等と組み合わせて利用する例を列挙して示す図
【発明を実施するための形態】
【００１７】
以下、本発明に係るラック内デバイス管理ソフトウェアに、他のソフトウェアであるエリア監視用の表示ソフトウェアを連携させて用いた実施形態と、本発明に係るラック内デバイス管理装置の実施形態を図面を参照して説明する。なお本発明は図示の例には限定されず、種々の形態で使用可能である。
【００１８】
図１は、本発明に係るラック内デバイス管理ソフトウェアによる表示画面Ｘを示す図である。図中矢印Ａは、本発明に係るラック内デバイス管理ソフトウェアのグラフィック画面であって、多数のラック２０を収納しているエリア２１を表示するとともに、表示されている複数のラック２０をポインタやキーボードなどの指示手段（図示せず：周知、公知の手段を用いればよい）により選択可能とするエリア表示部位である。また矢印Ｂは、エリア２１内のラック２０や、それらが搭載しているデバイス等についてマイクロソフト社のＷｉｎｄｏｗｓ（登録商標）エクスプローラ（商標）のように表示する部位であり、内蔵しているデバイスなどをＷｉｎｄｏｗｓ（登録商標）エクスプローラ（商標）のように管理することができるようにしてある。
【００１９】
また矢印Ｃは、エリア表示部位Ａで選択されたラック２０のうちから選択されたラックの全体のイメージを、該ラック２０に収納、搭載されているデバイス２２〜３０とともに表示するラックイメージ表示部位である。なおラックイメージ表示部位Ｃに示されているデバイス２２〜３０は、ディスプレイ２２、縦置きサーバー２３、ブレードサーバー２４、開発用サーバー２５、２６、データベースサーバー２７、ＷＥＢサーバー２８、２９、テスト用サーバー３０と、そしてバックアップ用サーバー３１である。もちろん、ラック２０に搭載、収納するデバイスは、これらに限定されず、使用者などが勝手に決めるものであるため、マイクロソフトエクセル（商標）で管理していたときと同様に、何を搭載、収納しているかの情報を予め得て、表示内容を決めておく必要がある。具体的には、例えば搭載、収納しているデバイスの実際の外観に拘わらず、予め定めた画像をアイコンのように使用して表示するなどすればよい。もちろん、なんらかの画像データベースを用いて実際の搭載デバイスの外観を表示する形態を採用することも可能である。
【００２０】
さらに図中矢印Ｄはデバイス情報表示部位で、エリア表示部位Ａで選択されたラック２０の情報Ｄ１、例えばラックの名称、ユーザー名称等と、当該ラック２０に収納、搭載されている前記デバイス２２〜３０に関するユニット情報Ｄ２を表示するようになっている。
【００２１】
図２は、本発明に係るラック内デバイス管理ソフトウェアを後述する他のソフトウェアＹ（例えば本願出願人が販売等しているｉＤＣＮａｖｉ：商標）とユーザー情報や顧客情報等を共通化することで連携させて用いる例の概念図である。他のソフトウェアＹについての詳細は後述する。
【００２２】
図３は、本発明に係るラック内デバイス管理ソフトウェア（図では四角の中にＵｎｉｔＰＯＲＴＥＲの文字を入れて、概念的に端末機器にインストールされていることを示している）を、端末機器となるラップトップＰＣ３０にインストールし、顧客情報等を別のサーバー３１に格納しておき、インターネット、イントラネットなどのネットワーク３２を用いてオンラインで使用している例を示している。
【００２３】
もちろん本発明に係るラック内デバイス管理ソフトウェアは、図４に示すように、他の機器等と連携させずオフラインで用いることもできる。図示の例では、デスクトップ型のＰＣ３３にインストールしていわゆるスタンドアロンで用いる例を示している。この図でも、四角の中にＵｎｉｔＰＯＲＴＥＲの文字を入れて、概念的に端末機器にインストールされていることを示している。
【００２４】
図５は、いわゆるリモートハンド業務（ラックの使用契約をしているユーザーに代わり、ラック内の指定されたサーバーを操作する業務を言う）の確認用に、本発明に係るラック内デバイス管理ソフトウェアを用いている例を示す。すなわち、ラックを使用しているユーザーと、例えばデータセンターの監視業務者との間の確認用資料として本発明に係るラック内デバイス管理ソフトウェアを用い、監視業務者が間違ったラックやユーザーから指定されていない別の機器を操作してしまうことを視覚的に防止できるようにしている例である。具体的には、図示の例では、ラック利用者３５が「上から３番目の白いサーバーをＯＦＦにして下さい」と電話で抽象的な連絡を出してきても、ラック監視担当者３６が、端末ＰＣ３７で本発明に係るラック内デバイス管理ソフトウェアの画面Ｘを見ながら、例えば「資産ＩＤ  １２３４５番の○Ｘ社製ネットワークサーバーですね？」と具体的に問い返して確認することにより、間違いを防いでいる例を示している。
【００２５】
本発明は、データセンターで運用される上述したようなサーバー等のデバイスの動作状況を監視するものであり、ラック２０に収納、搭載したデバイスに設けた発光手段（以下の説明ではＬＥＤとするが、これに限定されず、類似の発光手段を採用可能である）を監視する。関しには、後述する光ファイバースコープ方式、光ケーブル方式、カメラ監視方式が好適であるが、本発明はこれに限定されず、種々の光学的監視方式を採用できる。
【００２６】
＜光ファイバースコープ方式＞
図６は光ファイバースコープ方式を示す概念図であり、ラック２０に収納、搭載されている複数のデバイス４１〜４６（既述のデバイス２２〜３０とした、ディスプレイ２２、縦置きサーバー２３、ブレードサーバー２４、開発用サーバー２５、２６、データベースサーバー２７、ＷＥＢサーバー２８、２９、テスト用サーバー３０と、そしてバックアップ用サーバー３１や、これらに類似する機器、装置に相当する）を監視するための第１の方式を示す。
【００２７】
この方式は、一台のカメラ（あるいはカメラボックス）５０と数本分（監視対象とするデバイスの個数に対応する）の光ファイバースコープ５１によってデバイス４１〜４６に設けたＬＥＤ５２の画像を撮影し、例えばノートＰＣ（図示せず）に既述のような画像を表示しながらその場で写りを確認し（デバイスの識別はバーコードで読み取りを行うなど周知、公知の方式で別途行えばよい）、ノートＰＣ画面上のＬＥＤ表示をタップして位置識別を入力し、画像の色による管理情報を入力したり、点滅による管理情報を入力したりして行う。ノートＰＣをインターネットに接続しておけば、インターネット経由での情報の送受、操作等々が可能になる。
【００２８】
なお、一例であるが、光ファイバースコープ５１には、プラスチック製で、画素数が７４００画素、長さは６０ｃｍ〜１ｍ、光ファイバーの先端径はφ４ｍｍ、画角は４４°（無限遠時）、ピント範囲は３０ｍｍ〜∞、許容曲げ半径は３０ｍｍ、といったものを用いればよいが、もちろん異なる仕様のものであってもよい。
【００２９】
図７は光ケーブル方式を示す概念図であり、ラック２０に収納、搭載されている複数のデバイス４１〜４６を監視するための第２の方式を示す。この方式も、一台のカメラ（あるいはカメラボックス）５０と数本分（監視対象とするデバイスの個数に対応する）の光ケーブル５３によってデバイス４１〜４６に設けたＬＥＤ５２の画像を撮影するものである。
【００３０】
図８は、図７に示した光ケーブル方式を実施するのに適するＬＥＤの受光部の構成を示す概念図である。図中５２はＬＥＤで、デバイス４１〜４６のハウジングに固定してあり、受光部５４はデバイス４１〜４６の外表面に貼り付ける等して固定してある。受光部５４のハウジング５５内には光の透過孔５６を設け、透過孔５６内にはハーフミラー５７を備え、ＬＥＤ５２が射出した光が、一部は透過光５６をそのまま外部へ抜け、外部から点、消灯状態が目視でき、残りがハーフミラー５７で反射されて光ケーブル５３へ向かい、カメラ５０で画像が撮影されるようにしてある。
【００３１】
その他の構成、動作は図６の方式と同様であるので説明を省略する。
【００３２】
図９はカメラ切替方式を示す概念図であり、ラック２０に収納、搭載されている複数のデバイス４１〜４６を監視するための第３の方式を示す。この方式は、複数台のカメラ（例えば安価なＵＳＢカメラ等）６０を監視対象とするデバイスの個数とカメラ６０の機能（撮影可能な範囲や距離に対応させて配置し、複数のカメラ６０を例えばマルチスキャンボックス６１（カメラ６０を接続するマルチプレクサと、出力のためにＬＡＮ接続するＩＰボックス等を内蔵している）に接続し、デバイス４１〜４６に設けたＬＥＤ５２の画像を撮影するものである。
【００３３】
その他の構成、動作は図６、図７の方式とほぼ同様であるので説明を省略する。
【００３４】
以上説明した３つの方式での運用における自動監視項目としては、時間で順次デバイス４１〜４６のＬＥＤ５２を確認して監視する場合には、例えば、色の監視と、点滅の監視とを行うとすれば、以下のようにできる。
＜色の監視＞
指定された色以外の時アラーム
指定された色の時アラーム
消えている時アラーム
＜点滅の監視＞
指定された間隔以外の時アラーム
指定された間隔の時アラーム
【００３５】
図１０は、上述の３つの方式のそれぞれの特徴を示す図である。
【００３６】
また図１１は、図の中心にＵｎｉｔＰＯＲＴＥＲ．ＮＡＶＩ（商標）と記載した本願発明に係るソフトウェアを単体であるいは、その他のソフトウェアや装置等と組み合わせて利用する例を列挙して示す図である。
【符号の説明】
【００３７】
Ａ：エリア表示部位
Ｂ：エリア内のラックや、搭載デバイス等についてエクスプローラ（商標）のように表示する部位
Ｃ：ラックイメージ表示部位
Ｄ：デバイス情報表示部位
Ｄ１：エリア表示部位で選択されたラックの情報
Ｄ２：選択されたラックに収納、搭載されているデバイスに関するユニット情報
Ｘ：本発明に係るラック内デバイス管理ソフトウェアによる表示画面
Ｙ：他のソフトウェア
２０：ラック
２２〜３０、４１〜４６：ラックに収納、搭載されているデバイス
２２：ディスプレイ
２３：縦置きサーバー
２４：ブレードサーバー
２５、２６：開発用サーバー
２７：データベースサーバー
２８、２９：ＷＥＢサーバー
３０：テスト用サーバー
３１：バックアップ用サーバー
３０：ラップトップＰＣ
３１：別のサーバー
３２：ネットワーク
３３：デスクトップ型のＰＣ
３５：ラック利用者
３６：ラック監視担当者
３７：端末ＰＣ
４１〜４６：デバイス
５０：カメラ（あるいはカメラボックス）
５１：光ファイバースコープ
５２：ＬＥＤ
５３：光ケーブル
５４：受光部
５５：受光部のハウジング
５６：透過孔
５７：ハーフミラー
６０：カメラ
６１：マルチスキャンボックス
【図１】
2012238116.tif 000003
【図２】
2012238116.tif 000004
【図３】
2012238116.tif 000005
【図４】
2012238116.tif 000006
【図５】
2012238116.tif 000007
【図６】
2012238116.tif 000008
【図７】
2012238116.tif 000009
【図８】
2012238116.tif 000010
【図９】
2012238116.tif 000011
【図１０】
2012238116.tif 000012
【図１１】
2012238116.tif 000013